(57)【要約】【課題】書き込み系のブルーレイ・ディスクにてウォブル領域の読み出しによるアドレス情報を検出せずにＰＩＣ領域に光ピックアップをシークさせることができる光ディスク再生装置を提供する。【解決手段】システムコントローラは、光ピックアップに対するフォーカスサーボがオンされた後、光ピックアップからのＲＦ信号により生成されたトラッキングエラー信号の振幅を測定し、その振幅以上のレベルにスレッショルドを設定し光ピックアップを光ディスクの内周に向かってシークさせトラッキングエラー信号の振幅が前記スレッショルドを超えたときに光ピックアップをトラッキングサーボに引き込み、ＰＩＣ領域の先頭方向に光ピックアップをシークさせる。ウォブル領域の信号品質が悪い場合でも、ＰＩＣ領域をアクセスすることで、ディスク情報を取得することができ、タイトルの再生が可能になる。【選択図】図２
2009020925.tif 000002
【特許請求の範囲】
【請求項１】
レーザ光を光ディスクの記録面に照射し、その反射光量に対応するＲＦ信号を出力する光ピックアップを備え、光ディスクに記録された情報を再生する光ディスク再生装置において、
光ピックアップに対するフォーカスサーボがオンされた後、光ピックアップからのＲＦ信号により生成されたトラッキングエラー信号の振幅を測定し、その振幅以上のレベルにスレッショルドを設定し、光ピックアップを光ディスクの内周に向かってシークさせ、トラッキングエラー信号の振幅が前記スレッショルドを超えたときに、光ピックアップをトラッキングサーボに引き込み、光ディスクにおいてエンボス状のピットが形成されたエンボス領域の先頭方向に光ピックアップをシークさせる制御を行うシステムコントローラを備えたことを特徴とする光ディスク再生装置。
【請求項２】
前記システムコントローラは、
光ピックアップに対するフォーカスサーボがオンされた後、光ピックアップからのＲＦ信号により生成されたトラッキングエラー信号の振幅を測定し、その振幅以上のレベルにスレッショルドを設定するスレッショルド設定手段と、
前記スレッショルドが設定された後、光ピックアップを光ディスクの内周に向かってシークさせる内周シーク手段と、
前記シークにより前記トラッキングエラー信号の振幅が前記スレッショルドを超えたか否かを判定するトラッキング振幅判定手段と、
前記トラッキングエラー信号の振幅が前記スレッショルドを超えたと判定されたとき、光ピックアップをトラッキングサーボに引き込むトラッキングサーボ引込み手段と、
前記トラッキングサーボの引き込み後、光ディスクにおいてエンボス状のピットが形成されたエンボス領域の先頭方向に光ピックアップをシークさせる先頭方向シーク手段と、
前記シークされた後、前記エンボス領域からディスク情報を読み出させる情報読出手段と、を有することを特徴とする請求項１に記載の光ディスク再生装置。
【請求項３】
前記システムコントローラは、
光ピックアップ対するフォーカスサーボがオンされた後、光ピックアップからのＲＦ信号により生成されたトラッキングエラー信号の振幅を測定するトラッキング振幅測定手段と、
前記トラッキング信号の振幅が測定された後、光ピックアップに対するトラッキングサーボをオンさせるトラッキングサーボオン手段と、
前記トラッキングサーボがオンされた後、光ディスクのウォブル領域からアドレス情報を含むディスク情報を読み出させるウォブル領域読出手段と、
前記光ディスクのウォブル領域からディスク情報の読み出しが成功したか失敗したかを判定するウォブル領域読出し判定手段と、
前記ウォブル領域からディスク情報の読み出しが失敗したと判定されたとき、前記測定されたトラッキングエラー信号の振幅以上のレベルにスレッショルドを設定するスレッショルド設定手段と、
前記スレッショルドが設定された後、光ピックアップを光ディスクの内周に向かってシークさせる内周シーク手段と、
前記シークにより前記トラッキングエラー信号の振幅が前記スレッショルドを超えたか否かを判定するトラッキング振幅判定手段と、
前記トラッキングエラー信号の振幅が前記スレッショルドを超えたと判定されたとき、光ピックアップをトラッキングサーボに引き込むトラッキングサーボ引込み手段と、
前記トラッキングサーボの引き込み後、光ディスクにおいてエンボス状のピットが形成されたエンボス領域の先頭方向に光ピックアップをシークさせる先頭方向シーク手段と、
前記シークされた後、前記エンボス領域からディスク情報を読み出させる情報読出手段と、を有することを特徴とする請求項１に記載の光ディスク再生装置。
【請求項４】
前記光ディスクは書き込み系のブルーレイ・ディスクであり、前記エンボス領域とは書き込み系のブルーレイ・ディスクにおける記録領域の最内周側に位置するＰＩＣ（Ｐｅｒｍａｎｅｎｔ  Ｉｎｆｏｒｍａｔｉｏｎ  Ｃｏｎｔｒｏｌ）領域であることを特徴とする請求項１または請求項２または請求項３に記載の光ディスク再生装置。
【発明の詳細な説明】
【技術分野】
【０００１】
本発明は、光ディスクに記録された情報を再生する光ディスク再生装置に関し、特に、挿入された光ディスクが再生可能な状態になるまでの立ち上がり処理に関する。
【背景技術】
【０００２】
最近、高画質のビデオデータと高画質のオーディオデータを長時間記録することができる新しい高密度の光ディスク、例えば１回だけ記録可能なブルーレイ・ディスク（ＢＤ−Ｒ）や再記録可能なブルーレイ・ディスク（ＢＤ−ＲＥ）が開発されている。このような書き込み系のブルーレイ・ディスクは、クランピング領域、トランジッション領域、バーストカッティング領域（ＢＣＡ：Ｂｕｒｓｔ  Ｃｕｔｔｉｎｇ  Ａｒｅａ）、リードイン領域、データ領域、およびリードアウト領域に区画されている。書き込み系のブルーレイ・ディスクに記録されているデータは、一つのエラー訂正ブロック（ＥＣＣブロック）と同じ長さを持つ記録ユニットブロック（ＲＵＢ：Ｒｅｃｏｒｄｉｎｇ  Ｕｎｉｔ  Ｂｌｏｃｋ）に分けて記録される。
【０００３】
前記リードイン領域は、プリレコードされた領域と記録可能な領域に分かれている。プリレコードされた領域には、ＰＩＣ（Ｐｅｒｍａｎｅｎｔ  Ｉｎｆｏｒｍａｔｉｏｎ  Ｃｏｎｔｒｏｌ）領域が割り当てられている。記録可能な領域には、データ記録途中で検出される欠陥領域に対して代替記録するために必要な欠陥管理情報を記録するための第１，第２欠陥管理領域（ＤＭＡ：Ｄｅｆｅｎｔ  Ｍａｎａｇｅｍｅｎｔ  Ａｒｅａ）が割り当てられる。また、前記リードアウト領域は、記録可能な領域であって、欠陥管理情報を記録するための第３，第４欠陥管理領域（ＤＭＡ）が割り当てられる。
【０００４】
また、ＰＩＣ領域には、永久に保存されなければならないディスク情報（ＤＩ：Ｄｉｓｃ  Ｉｎｆｏｒｍａｔｉｏｎ）、例えば、ディスクタイプ情報（ＤＴ：Ｄｉｓｃ  Ｔｙｐｅ）とデータ領域割り当て情報（ＤＺＡ：Ｄａｔａ  Ｚｏｎｅ  Ａｌｌｏｃａｔｉｏｎ）などのような重要なディスク情報が高周波変調されたウォブル形態で例えば５回反復記録される。ディスク情報は、例えば３２バイトのパリティを除いて１１２バイトのサイズを有する。
【０００５】
ディスク情報を反復記録する理由は、ディスク情報の検出を安定的に行い、データの記録または再生の安定性を確保することにある。例えば、ディスク情報が１回しか記録されていなければ、その記録された位置でディスク情報にエラーが発生したなどの原因によりディスク情報が正しく検出されなくなることがあり、データの記録または再生を正しく実行することができないことがあるためである。
【０００６】
記録が可能なリードイン領域、データ領域、リードアウト領域は、グループがウォブル形態で形成されて、データはウォブルに整列して記録される。ウォブル形態のグループには、ＡＤＩＰ（Ａｄｄｒｅｓｓ  Ｉｎ  Ｐｒｅ−ｇｒｏｏｖｅ）アドレスとＡＵＸデータで構成されたＡＤＩＰ情報が変調されている。ＡＤＩＰアドレスは、記録が可能なリードイン領域、データ領域、リードアウト領域で、即ち、ウォブル形態のグループが形成されたすべての領域で、物理的なＡＤＩＰ情報を含んでいる。
【０００７】
しかし、ＡＵＸデータは、プリレコードされた領域を除いたリードイン領域にだけディスク情報を含んでおり、それ以外のデータ領域とリードアウト領域では０値で満たされている。即ち、ディスクタイプ情報とデータ領域割り当て情報（アドレス情報に相当）のような重要なディスク情報は、ＰＩＣ領域を除いた記録可能なリードイン領域にウォブル形態のグループに変調したＡＤＩＰ情報内にＡＵＸデータとして記録される。ディスク情報は、３２バイトのパリティを含めて１４４バイトのサイズで、記録可能なリードイン領域に形成されたウォブル形態のグループに反復記録される。前記リードイン領域に形成されたウォブル形態の領域を以下の説明でウォブル領域と呼ぶことにする。また、前記アドレス情報は、前記のようにディスク情報に含まれるとして説明する。
【０００８】
図４は従来の光ディスク再生装置において書き込み系のブルーレイ・ディスクが挿入されてからＰＩＣ領域の情報を読み出すまでの処理を説明するためのフローチャートである。このフローチャートを参照して従来の光ディスク再生装置において書き込み系のブルーレイ・ディスクが挿入されてからＰＩＣ領域の情報を読み出すまでの処理について説明する。
【０００９】
先ず、書き込み系のブルーレイ・ディスク（以下単に光ディスクと言う）が装置に挿入されると、光ディスク再生装置のシステムコントローラは、光ディスクが挿入されたことを検出し（ステップＭ１）、光ディスクのデータ領域に光ピックアップを移動させ（ステップＭ２）、次に、光ディスクを回転させ（ステップＮ３）、更に、光ピックアップからレーザ光を出射させる（ステップＭ４）。そして、システムコントローラは、光ピックアップに対するフォーカスサーボをオンする（ステップＭ５）。
【００１０】
次に、システムコントローラは、トラッキングエラー信号の振幅を測定して（ステップＭ６）、そのトラッキングエラー信号の振幅調整やバランス調整を行い、トラッキングサーボをオンし（ステップＭ７）、光ディスクのウォブル領域からアドレス情報を含むディスク情報を読み出す（ステップＭ８）。そして、システムコントローラは、光ディスクにおいてエンボス状のピットが形成されたエンボス領域であるＰＩＣ領域の先頭方向に光ピックアップをシークさせる。
【００１１】
前記シークされた後、システムコントローラは、光ディスクのＰＩＣ領域からディスク情報を読み出す（ステップＭ１０）。以降は、選択されたタイトルに対する再生指示がリモコンなどにより行われると、そのタイトルが光ディスクのデータ領域から再生される。
【特許文献１】特開２００５−１６６１２５号公報
【特許文献２】特開２０００−２１５４６８号公報
【発明の開示】
【発明が解決しようとする課題】
【００１２】
従来の光ディスク再生装置においては、以上のような処理で、書き込み系のブルーレイ・ディスクのＰＩＣ領域からディスク情報を読み出すが、ウォブル領域の信号品質が悪い場合、ウォブル領域からアドレス情報を含むディスク情報を読み出すことができないので、アドレス情報が無い状態では光ピックアップをＰＩＣ領域へシークさせることができず、その結果、当該ディスクのタイトルを再生することができないと言う課題が生じる。
【００１３】
即ち、書き込み系のブルーレイ・ディスクの規格では、ウォブル領域を追加して、このウォブル領域にアドレス情報を含むディスク情報を入れるように決められている。ウォブル領域は、トラックを唸らせて、この唸った周期による周波数からデータに変換してディスク情報が得られるように構成されている。したがって、従来の光ディスク再生装置においては、ウォブル領域の信号品質が悪い場合、ウォブル領域からディスク情報を読み出すことができず、ディスク情報に含まれるアドレス情報を得ることができなくなるので、光ピックアップが読み取っているディスク上の現在のレーザ照射箇所のアドレスとＰＩＣ領域の先頭アドレスとの距離を算出するこができず、これにより、光ピックアップをＰＩＣ領域へシークさせることができなくなり、その結果、当該ディスクのタイトルを再生することができないと言う課題が生じる。
【００１４】
なお、特許文献１の従来技術では、ＨＤ−ＤＶＤを再生する際に、ＲＦ信号の周波数が高周波であるか否かを判断し、高周波である場合は、光ヘッドがシステムリードインエリア内にレーザを照射していると判断することにより、ディスク最内周のＢＣＡから正確にシステムリードインエリアにアクセスすることができるようにしているが、この従来技術は、挿入された光ディスクに対する立ち上げが完了してからの処理に関するものであり、図４のフローチャートで示したような再生する前の立ち上げ時の処理において前記のような課題を解決できるようにしたものではない。
【００１５】
また、特許文献２の従来技術は、光ディスクにおける異なる領域にシークする場合において、トラッキングエラー信号の振幅が所定レベルを超えるか否かを検知することにより、異なる領域に突入したことを検出するようにしたものであり、立ち上げ時の処理に関するものではない。
【００１６】
本発明は、上記のような課題を解決するためになされたもので、再生する前の立ち上げ時に、光ディスク（書き込み系のブルーレイ・ディスク）にてウォブル領域の読み出しによるアドレス情報を検出せずに、またはウォブル領域の読み出しによるアドレス情報を得ることができなかった場合でも、エンボス領域（ＰＩＣ領域）に光ピックアップをシークさせることができる光ディスク再生装置を提供することを目的とする。
【課題を解決するための手段】
【００１７】
上記目的を達成するために、請求項１の発明は、レーザ光を光ディスクの記録面に照射し、その反射光量に対応するＲＦ信号を出力する光ピックアップを備え、光ディスクに記録された情報を再生する光ディスク再生装置において、光ピックアップに対するフォーカスサーボがオンされた後、光ピックアップからのＲＦ信号により生成されたトラッキングエラー信号の振幅を測定し、その振幅以上のレベルにスレッショルドを設定し、光ピックアップを光ディスクの内周に向かってシークさせ、トラッキングエラー信号の振幅が前記スレッショルドを超えたときに、光ピックアップをトラッキングサーボに引き込み、光ディスクにおいてエンボス状のピットが形成されたエンボス領域の先頭方向に光ピックアップをシークさせる制御を行うシステムコントローラを備えたことを特徴とする光ディスク再生装置を提供する。
【００１８】
この構成によれば、再生する前の立ち上げ時に、光ディスクにてウォブル領域の読み出しによるアドレス情報を検出せずに、またはウォブル領域の読み出しによるアドレス情報を得ることができなかった場合でも、エンボス領域に光ピックアップをシークさせることができるので、ウォブル領域の信号品質が悪い場合でも、エンボス領域をアクセスすることで、ディスク情報を取得することができ、光ディスクに記録されているタイトルの再生が可能になる。
【００１９】
請求項２の発明では、請求項１の発明において、前記システムコントローラは、光ピックアップに対するフォーカスサーボがオンされた後、光ピックアップからのＲＦ信号により生成されたトラッキングエラー信号の振幅を測定し、その振幅以上のレベルにスレッショルドを設定するスレッショルド設定手段と、前記スレッショルドが設定された後、光ピックアップを光ディスクの内周に向かってシークさせる内周シーク手段と、前記シークにより前記トラッキングエラー信号の振幅が前記スレッショルドを超えたか否かを判定するトラッキング振幅判定手段と、前記トラッキングエラー信号の振幅が前記スレッショルドを超えたと判定されたとき、光ピックアップをトラッキングサーボに引き込むトラッキングサーボ引込み手段と、前記トラッキングサーボの引き込み後、光ディスクにおいてエンボス状のピットが形成されたエンボス領域の先頭方向に光ピックアップをシークさせる先頭方向シーク手段と、前記シークされた後、前記エンボス領域からディスク情報を読み出させる情報読出手段と、を有することを特徴とする。
【００２０】
この構成によれば、再生する前の立ち上げ時に、光ディスクにてウォブル領域の読み出しによるアドレス情報を検出せずに、エンボス領域に光ピックアップをシークさせることができるので、ウォブル領域の信号品質が悪い場合でも、エンボス領域をアクセスすることで、ディスク情報を取得することができ、光ディスクに記録されているタイトルの再生が可能になる。
【００２１】
請求項３の発明では、請求項１の発明において、前記システムコントローラは、光ピックアップ対するフォーカスサーボがオンされた後、光ピックアップからのＲＦ信号により生成されたトラッキングエラー信号の振幅を測定するトラッキング振幅測定手段と、前記トラッキング信号の振幅が測定された後、光ピックアップに対するトラッキングサーボをオンさせるトラッキングサーボオン手段と、前記トラッキングサーボがオンされた後、光ディスクのウォブル領域からアドレス情報を含むディスク情報を読み出させるウォブル領域読出手段と、前記光ディスクのウォブル領域からディスク情報の読み出しが成功したか失敗したかを判定するウォブル領域読出し判定手段と、前記ウォブル領域からディスク情報の読み出しが失敗したと判定されたとき、前記測定されたトラッキングエラー信号の振幅以上のレベルにスレッショルドを設定するスレッショルド設定手段と、前記スレッショルドが設定された後、光ピックアップを光ディスクの内周に向かってシークさせる内周シーク手段と、前記シークにより前記トラッキングエラー信号の振幅が前記スレッショルドを超えたか否かを判定するトラッキング振幅判定手段と、前記トラッキングエラー信号の振幅が前記スレッショルドを超えたと判定されたとき、光ピックアップをトラッキングサーボに引き込むトラッキングサーボ引込み手段と、前記トラッキングサーボの引き込み後、光ディスクにおいてエンボス状のピットが形成されたエンボス領域の先頭方向に光ピックアップをシークさせる先頭方向シーク手段と、前記シークされた後、前記エンボス領域からディスク情報を読み出させる情報読出手段と、を有することを特徴とする。
【００２２】
この構成によれば、再生する前の立ち上げ時に、光ディスクにてウォブル領域の読み出しによるアドレス情報を得ることができなかった場合でも、エンボス領域に光ピックアップをシークさせることができるので、ウォブル領域の信号品質が悪い場合でも、エンボス領域をアクセスすることで、ディスク情報を取得することができ、光ディスクに記録されているタイトルの再生が可能になる。
【００２３】
請求項４の発明では、請求項１または請求項２または請求項３の発明において、前記光ディスクは書き込み系のブルーレイ・ディスクであり、前記エンボス領域とは書き込み系のブルーレイ・ディスクにおける記録領域の最内周側に位置するＰＩＣ（Ｐｅｒｍａｎｅｎｔ  Ｉｎｆｏｒｍａｔｉｏｎ  Ｃｏｎｔｒｏｌ）領域であるので、書き込み系のブルーレイ・ディスクにおいてウォブル領域の信号品質が悪い場合でも、ＰＩＣ領域をアクセスすることで、ディスク情報を取得することができ、書き込み系のブルーレイ・ディスクに記録されているタイトルの再生が可能になる。
【発明の効果】
【００２４】
以上のように本発明によれば、再生する前の立ち上げ時に、光ディスク（書き込み系のブルーレイ・ディスク）にてウォブル領域の読み出しによるアドレス情報を検出せずに、またはウォブル領域の読み出しによるアドレス情報を得ることができなかった場合でも、エンボス領域（ＰＩＣ領域）に光ピックアップをシークさせることができるので、ウォブル領域の信号品質が悪い場合でも、エンボス領域（ＰＩＣ領域）をアクセスすることで、ディスク情報を取得することができ、光ディスク（書き込み系のブルーレイ・ディスク）に記録されているタイトルの再生が可能になる。
【発明を実施するための最良の形態】
【００２５】
以下、添付図面を参照しつつ、本発明の実施の形態について説明する。図１は本発明の第１，第２の実施形態に係る光ディスク再生装置の構成を示すブロック図である。
【００２６】
図１において、この光ディスク再生装置は、レーザ光を発光する発光素子３ａからの出射光を対物レンズ３ｂにより光ディスク１に集光して光スポットを形成し、光ディスク１からの反射光を対物レンズ３ｂを介して４分割の光検出器３ｃに入射させて光検出器３ｃからＲＦ信号を出力するように構成された光ピックアップ３を備えている。また、この光ピックアップ３は、対物レンズ３ｂを光ディスク１に対して水平方向（半径方向）に微小移動させトラッキングサーボを行うためのトラッキング用アクチュエータ３ｄと、対物レンズ３ｂを光ディスク１に対して垂直方向に微小移動させフォーカスサーボを行うためのフォーカス用アクチュエータ３ｅとを有している。
【００２７】
また、この光ディスク再生装置は、光ディスク１を回転させるスピンドルモータ２と、このスピンドルモータ２を駆動するスピンドルドライブ回路１９と、トラッキング用アクチュエータ３ｄを駆動するトラッキングドライブ回路１７と、フォーカス用アクチュエータ３ｅを駆動するフォーカスドライブ回路１６と、光ピックアップ３を光ディスク１の半径方向に移動させるスレッド４と、このスレッド４を駆動するスレッドドライブ回路１８とを備えている。
【００２８】
また、この光ディスク再生装置は、光ディスク１の再生時に光ピックアップ３からのＲＦ信号を増幅するＲＦアンプ５と、ＶＣＯ（voltage controlled oscillator）を含むＰＬＬ（phase locked loop）８を備えＲＦアンプ５からのＲＦ信号を入力してデータと同期信号を分離するデータ／同期信号分離回路６と、このデータ／同期分離回路６で分離されたデータを入力してデコード化することによりエラーチェックを行いデータに誤りがある場合はエラー訂正を行って正しいデータを出力するデータデコードエラー訂正回路９と、このデータデコードエラー訂正回路９から正しいデータを入力しデコード化してビデオ信号とオーディオ信号をビデオ出力端子２３とオーディオ出力端子２４をそれぞれ介して例えばテレビジョン受像機２２に供給するＡＶデコード回路１０とを備えている。
【００２９】
また、この光ディスク再生装置は、ＲＦアンプ５からのＲＦ信号に含まれ光ディスク１上のトラックの無いミラー面を示すミラー信号を検出してミラー面をカウントするミラー検出回路７と、光ピックアップ３からのＲＦ信号に含まれるトラッキングエラー信号をＲＦアンプ５を介して検出するトラッキングエラー検出回路１１と、光ピックアップ３からのＲＦ信号に含まれるフォーカスエラー信号をＲＦアンプ５を介して検出するフォーカスエラー検出回路１２と、トラッキングエラー検出回路１１からのトラッキングエラー信号に基づいてトラッククロスを検出してトラックパルスを出力するトラッククロス検出回路１３と、システムコントローラ１４の処理に必要なデータを格納するメモリ２０とを備えている。
【００３０】
また、この光ディスク再生装置には、この装置本体の前面などに設けられ装置電源のオン／オフ操作や再生に関する各種操作などを行うための複数のキーを有した操作部２５が備えられている。この操作部２５は、リモコン（リモートコントローラ）２６からの操作指令を示す光信号を受信する受光手段（図示せず）を備え、この受光手段により光信号を電気信号に変換してシステムコントローラ１４に指令信号を入力する。リモコン２６は、操作部２５よりもキーの個数が多く、装置電源のオン／オフ操作や再生に関する各種操作などを行うための複数のキー（図示せず）を有している。
【００３１】
また、この光ディスク再生装置は、装置全体の処理を行うＣＰＵ１５に従って上記各構成要素を制御するシステムコントローラ１４を備えている。このシステムコントローラ１４は、光ピックアップ３からのＲＦ信号に含まれるフォーカスエラー信号に基づいて光ピックアップ３のフォーカスサーボのための制御、光ピックアップ３からのＲＦ信号に含まれるトラッキングエラー信号に基づいて光ピックアップ３のトラッキングサーボのための制御、操作部２５やリモコン２６からの再生指示信号に従って光ディスク１の再生位置を決めるためスレッドドライブ回路１８を介してスレッド４を駆動して光ピックアップ３を光ディスク１の半径方向に移動させる制御、操作部２５やリモコン２６からの操作信号によりスピンドルドライブ回路１９を介してスピンドルモータ２を回転させる制御などを行う。
【００３２】
更に、システムコントローラ１４は、第１の実施形態の特徴として、光ピックアップ３に対するフォーカスサーボがオンされた後、光ピックアップ３からのＲＦ信号により生成されたトラッキングエラー信号の振幅を測定し、その振幅以上のレベルにスレッショルドを設定するスレッショルド設定手段と、前記スレッショルドが設定された後、光ピックアップ３を光ディスク１の内周に向かってシークさせる内周シーク手段と、前記シークにより前記トラッキングエラー信号の振幅が前記スレッショルドを超えたか否かを判定するトラッキング振幅判定手段と、前記トラッキングエラー信号の振幅が前記スレッショルドを超えたと判定されたとき、光ピックアップ３をトラッキングサーボに引き込むトラッキングサーボ引込み手段と、前記トラッキングサーボの引き込み後、光ディスク１においてエンボス状のピットが形成されたエンボス領域の先頭方向に光ピックアップ３をシークさせる先頭方向シーク手段と、前記シークされた後、前記エンボス領域からディスク情報を読み出させる情報読出手段とを有する。
【００３３】
また、システムコントローラ１４は、第２の実施形態の特徴として、光ピックアップ３に対するフォーカスサーボがオンされた後、光ピックアップ３からのＲＦ信号により生成されたトラッキングエラー信号の振幅を測定するトラッキング振幅測定手段と、前記トラッキング信号の振幅が測定された後、光ピックアップ３に対するトラッキングサーボをオンさせるトラッキングサーボオン手段と、前記トラッキングサーボがオンされた後、光ディスク１のウォブル領域からアドレス情報を含むディスク情報を読み出させるウォブル領域読出手段と、光ディスク１のウォブル領域からディスク情報の読み出しが成功したか失敗したかを判定するウォブル領域読出し判定手段と、前記ウォブル領域からディスク情報の読み出しが失敗したと判定されたとき、前記測定されたトラッキングエラー信号の振幅以上のレベルにスレッショルドを設定するスレッショルド設定手段と、前記スレッショルドが設定された後、光ピックアップ３を光ディスク１の内周に向かってシークさせる内周シーク手段と、前記シークにより前記トラッキングエラー信号の振幅が前記スレッショルドを超えたか否かを判定するトラッキング振幅判定手段と、前記トラッキングエラー信号の振幅が前記スレッショルドを超えたと判定されたとき、光ピックアップ３をトラッキングサーボに引き込むトラッキングサーボ引込み手段と、前記トラッキングサーボの引き込み後、光ディスク１においてエンボス状のピットが形成されたエンボス領域の先頭方向に光ピックアップ３をシークさせる先頭方向シーク手段と、前記シークされた後、前記エンボス領域からディスク情報を読み出させる情報読出手段とを有する。
【００３４】
図２は第１の実施形態において光ディスクが装置に挿入されてからＰＩＣ領域の情報を読み出すまでの処理を説明するためのフローチャートである。このフローチャートおよび図１を参照して光ディスクが装置に挿入されてからＰＩＣ領域の情報を読み出すまでの処理について説明する。光ディスクは書き込み系のブルーレイ・ディスクであるとして説明する。
【００３５】
先ず、光ディスク１が装置に挿入されると、システムコントローラ１６は、光ディスク１が挿入されたことを検出し（ステップＳ１）、スレッドドライブ回路１８を介してスレッド４を駆動させることにより光ディスク１のデータ領域に光ピックアップ３を移動させ（ステップＳ２）、次に、スピンドルドライブ回路１９を介してスピンドルモータ２を駆動させることにより光ディスク１を回転させ（ステップＳ３）、更に、光ピックアップ３からレーザ光を出射させる（ステップＳ４）。そして、システムコントローラ１４は、フォーカスドライブ回路１６を介してフォーカス用アクチュエータ３ｅを制御して光ピックアップ３に対するフォーカスサーボをオンする（ステップＳ５）。
【００３６】
この後、システムコントローラ１４のスレッショルド設定手段は、光ピックアップ３からのＲＦ信号により生成されたトラッキングエラー信号の振幅（ＴＥ振幅）を測定し、その振幅以上のレベルにスレッショルドを設定する（ステップＳ６）。即ち、スレッショルド設定手段は、図１に示す構成の場合、トラッキングエラー検出回路１１から出力されたトラッキングエラー信号の振幅を測定し、その振幅以上のレベルにスレッショルドを設定する（ステップＳ６）。
【００３７】
前記スレッショルドが設定された後、システムコントローラ１４の内周シーク手段は、スレッドドライブ回路１８を介してスレッド４を駆動させることにより光ピックアップ３を光ディスク１の内周に向かってシークさせる（ステップＳ７）。このシークを行っているときに、システムコントローラ１４のトラッキング振幅判定手段は、前記トラッキングエラー信号の振幅が前記スレッショルドを超えたか否かを判定する（ステップＳ８）。
【００３８】
前記トラッキングエラー信号の振幅が前記スレッショルドを超えたと判定されたとき、システムコントローラ１４のトラッキングサーボ引込み手段は、トラッキングドライブ回路１７を介してトラッキング用アクチュエータ３ｄを制御して光ピックアップ３をトラッキングサーボに引き込む（ステップＳ９）。前記トラッキングサーボの引き込み後、システムコントローラ１４のディスク情報読出手段は、光ディスク１においてエンボス状のピットが形成されたエンボス領域であるＰＩＣ領域の先頭方向に光ピックアップ３をシークさせる（ステップＳ１０）。
【００３９】
前記シークされた後、システムコントローラ１４のディスク情報読出手段は、光ピックアップ３、ＲＦアンプ５、データ／同期信号分離回路６、およびデータデコードエラー訂正回路９の動作により、光ディスク１のＰＩＣ領域からディスク情報を読み出す（ステップＳ１１）。以降は、選択されたタイトルに対する再生指示がリモコン２６などにより行われると、システムコントローラ１４は、そのタイトルが記録されている光ディスク１のデータ領域からデータを再生する制御を行う。
【００４０】
図３は第２の実施形態において光ディスクが装置に挿入されてからＰＩＣ領域の情報を読み出すまでの処理を説明するためのフローチャートである。このフローチャートおよび図１を参照して光ディスクが装置に挿入されてからＰＩＣ領域の情報を読み出すまでの処理について説明する。光ディスクは書き込み系のブルーレイ・ディスクであるとして説明する。
【００４１】
先ず、光ディスク１が装置に挿入されると、システムコントローラ１６は、光ディスク１が挿入されたことを検出し（ステップＮ１）、スレッドドライブ回路１８を介してスレッド４を駆動させることにより光ディスク１のデータ領域に光ピックアップ３を移動させ（ステップＮ２）、次に、スピンドルドライブ回路１９を介してスピンドルモータ２を駆動させることにより光ディスク１を回転させ（ステップＮ３）、更に、光ピックアップ３からレーザ光を出射させる（ステップＮ４）。そして、システムコントローラ１４は、フォーカスドライブ回路１６を介してフォーカス用アクチュエータ３ｅを制御して光ピックアップ３に対するフォーカスサーボをオンする（ステップＮ５）。
【００４２】
次に、システムコントローラ１４のトラッキング振幅測定手段は、図１に示す構成の場合、トラッキングエラー検出回路１１から出力されたトラッキングエラー信号の振幅を測定する（ステップＮ６）。この後、システムコントローラ１４のトラッキングサーボオン手段は、トラッキングドライブ回路１７を介してトラッキング用アクチュエータ３ｄを制御して光ピックアップ３に対するトラッキングサーボをオンする（ステップＮ７）。
【００４３】
システムコントローラ１４のウォブル情報読出手段は、光ピックアップ３、ＲＦアンプ５、データ／同期信号分離回路６、およびデータデコードエラー訂正回路９の動作により、光ディスク１のウォブル領域からアドレス情報を含むディスク情報を読み出す（ステップＮ８）。そして、システムコントローラ１４のウォブル領域読出し判定手段は、ディスク情報の読み出しが成功したか失敗したかの判定を行い（ステップＮ９）、読み出しが成功したと判定されたときは、通常の動作を行うが、読み出しが失敗したと判定されたときは、システムコントローラ１４のスレッショルド設定手段は、ステップＮ６で測定されたトラッキングエラー信号の振幅以上のスレッショルドを設定する（ステップＮ１０）。
【００４４】
前記スレッショルドが設定された後、システムコントローラ１４の内周シーク手段は、スレッドドライブ回路１８を介してスレッド４を駆動させることにより光ピックアップ３を光ディスク１の内周に向かってシークさせる（ステップＮ１１）。このシークを行っているときに、システムコントローラ１４のトラッキング振幅判定手段は、前記トラッキングエラー信号の振幅が前記スレッショルドを超えたか否かを判定する（ステップＮ１２）。
【００４５】
前記トラッキングエラー信号の振幅が前記スレッショルドを超えたと判定されたとき、システムコントローラ１４のトラッキングサーボ引込み手段は、トラッキングドライブ回路１７を介してトラッキング用アクチュエータ３ｄを制御して光ピックアップ３をトラッキングサーボに引き込む（ステップＮ１３）。前記トラッキングサーボの引き込み後、システムコントローラ１４のディスク情報読出手段は、光ディスク１におけるＰＩＣ領域の先頭方向に光ピックアップ３をシークさせる（ステップＮ１４）。
【００４６】
前記シークされた後、システムコントローラ１４のディスク情報読出手段は、光ピックアップ３、ＲＦアンプ５、データ／同期信号分離回路６、およびデータデコードエラー訂正回路９を動作させ、光ディスク１のＰＩＣ領域からディスク情報を読み出す（ステップＮ１５）。以降は、選択されたタイトルに対する再生指示がリモコン２６などにより行われると、システムコントローラ１４は、そのタイトルが記録されている光ディスク１のデータ領域からデータを再生する制御を行う。
【００４７】
以上説明したように第１、第２の実施形態によれば、再生する前の立ち上げ時に、書き込み系のブルーレイ・ディスクにてウォブル領域の読み出しによるアドレス情報を検出せずに、またはウォブル領域の読み出しによるアドレス情報を得ることができなかった場合でも、ＰＩＣ領域に光ピックアップをシークさせることができるので、ウォブル領域の信号品質が悪い場合でも、ＰＩＣ領域をアクセスすることで、ディスク情報を取得することができ、書き込み系のブルーレイ・ディスクに記録されているタイトルの再生が可能になる。
【産業上の利用可能性】
【００４８】
本発明は、書き込み系のブルーレイ・ディスクを再生することが可能な光ディスク再生装置に利用可能であり、そのブルーレイ・ディスクのウォブル領域の信号品質が悪い場合でも、ブルーレイ・ディスクに記録されているタイトルの再生が可能になる。
【図面の簡単な説明】
【００４９】
【図１】本発明の第１，第２の実施形態に係る光ディスク再生装置の構成を示すブロック図である。
【図２】第１の実施形態において光ディスクが装置に挿入されてからＰＩＣ領域の情報を読み出すまでの処理を説明するためのフローチャートである。
【図３】第２の実施形態において光ディスクが装置に挿入されてからＰＩＣ領域の情報を読み出すまでの処理を説明するためのフローチャートである。
【図４】従来の光ディスク再生装置において書き込み系のブルーレイ・ディスクが挿入されてからＰＩＣ領域の情報を読み出すまでの処理を説明するためのフローチャートである。
【符号の説明】
【００５０】
１    光ディスク
３    光ピックアップ
１４    システムコントローラ（スレッショルド設定手段、内周シーク手段、トラッキング振幅判定手段、トラッキングサーボ引込み手段、先頭方向シーク手段、情報読出手段、トラッキングサーボオン手段、ウォブル領域読出手段、ウォブル領域読出し判定手段、情報読出手段）
【図１】
2009020925.tif 000003
【図２】
2009020925.tif 000004
【図３】
2009020925.tif 000005
【図４】
2009020925.tif 000006